(57)【要約】【課題】既設建物に対してシャッターを後付けで簡単に施工できるようにしながらも、外壁材の表面に対する取付部材の止め付け強度を高めて、重量の重いシャッターボックスであっても安定した取り付けを可能とする。【解決手段】既設建物の外壁材５の表面に、一対の取付部材２０、２０を横方向に間隔をあけて止め付けて、これら取付部材２０、２０に跨ってシャッターボックス１２を取り付ける。取付部材２０、２０の止め付けに際しては、複数の第１、第２ビス５０、５１・・を、互いに縦方向及び横方向に間隔をあけながら、取付部材２０、２０及び外壁材５を貫通して第１、第２鋼材７、９・・に強固にバランス良くねじ込むようにして、取付部材２０、２０の止め付け強度を十分に高めている。【選択図】図１
2010101089.tif 000002
【特許請求の範囲】
【請求項１】
既設建物の外壁材（５）の表面に、一対の取付部材（２０）（２０）を横方向に間隔をあけて止め付けて、これら取付部材（２０）（２０）に跨ってシャッターボックス（１２）を取り付けるようにした後付けシャッター（１０）の取付構造であって、前記外壁材（５）を支持する軸組（４）の縦方向の第１鋼材（７）（７）と、前記外壁材（５）に埋め込まれた縦方向の第２鋼材（９）（９）とが横方向に位置ずれした状態で配され、縦方向に間隔をあけた複数の第１ビス（５０）・・を、前記取付部材（２０）（２０）及び外壁材（５）を貫通して前記第１鋼材（７）（７）にねじ込むとともに、縦方向に間隔をあけた複数の第２ビス（５１）（５１）を、前記取付部材（２０）（２０）及び外壁材（５）を貫通して前記第２鋼材（９）（９）にねじ込むことによって、前記取付部材（２０）（２０）を前記外壁材（５）の表面に止め付けたことを特徴とする後付けシャッターの取付構造。
【請求項２】
前記一対の取付部材（２０）（２０）は、前記外壁材（５）の表面に重ね合わせる接合面（２５ａ）（２５ａ）を夫々備え、これら接合面（２５ａ）（２５ａ）は、一辺の長さが前記シャッターボックス（１２）の縦方向の長さと同じか僅かに短い略正方形状に形成されている請求項１記載の後付けシャッターの取付構造。
【請求項３】
前記シャッターボックス（１２）の上端部と前記外壁材（５）との間の隙間に、前記一対の取付部材（２０）（２０）の上端部間に跨るシーリング受け材（６０）を配置し、このシーリング受け材（６０）に沿ってシーリング材（６３）を充填して前記隙間を塞ぐようにした請求項１又は２記載の後付けシャッターの取付構造。
【請求項４】
前記一対の取付部材（２０）（２０）に、前記シャッターボックス（１２）を引っ掛ける爪片（４１）（４１）と、前記シャッターボックス（１２）を下支えする下支え片（４２）（４２）とを夫々設けた請求項１乃至３のいずれかに記載の後付けシャッターの取付構造。
【発明の詳細な説明】
【技術分野】
【０００１】
この発明は、主として鉄骨軸組構造の既設住宅に対する後付けシャッターの取付構造に関する。
【背景技術】
【０００２】
従来、鉄骨軸組構造の既設住宅に対してシャッターを後付けする場合、例えば窓等の開口部上側に位置する外壁材を寸法の異なる別の外壁材に取り替えることで、開口部上側において軸組の一部を露出させ、この軸組の露出部分に下地材を介してシャッターボックスを取り付けるようにしていた。ところが、この場合には、外壁材を取り替える必要があり、施工が煩雑になっていた。
【０００３】
一方、シャッターの設置に際しては、例えば特許文献１にも開示されているように、開口部上側に位置する外壁材の表面に、取付部材をビスやボルトによって止め付けて、この取付部材にシャッターボックスを取り付けることもなされている。従って、シャッターを後付けする場合において、このような取付構造を適用すれば、外壁材を取り替えることなく、施工を簡単にすることができる。
【０００４】
【特許文献１】特開２００１−７３６５２号公報
【発明の開示】
【発明が解決しようとする課題】
【０００５】
しかしながら、上記の取付構造においては、外壁材の表面に対する取付部材の止め付け強度が弱くなりがちで、特に重量の重いシャッターボックスをしっかりと安定して取り付けることができない場合があった。
【０００６】
この発明は、上記の不具合を解消して、既設建物の外壁材の表面に止め付けた取付部材にシャッターボックスを取り付けることで、既設建物に対してシャッターを後付けで簡単に施工できるようにしながらも、外壁材の表面に対する取付部材の止め付け強度を高めて、重量の重いシャッターボックスであっても安定した取り付けを可能とした後付けシャッターの取付構造の提供を目的とする。
【課題を解決するための手段】
【０００７】
上記課題を解決するため、この発明の後付けシャッターの取付構造は、既設建物の外壁材５の表面に、一対の取付部材２０、２０を横方向に間隔をあけて止め付けて、これら取付部材２０、２０に跨ってシャッターボックス１２を取り付けるようにしたものであって、前記外壁材５を支持する軸組４の縦方向の第１鋼材７、７と、前記外壁材５に埋め込まれた縦方向の第２鋼材９、９とが横方向に位置ずれした状態で配され、縦方向に間隔をあけた複数の第１ビス５０・・を、前記取付部材２０、２０及び外壁材５を貫通して前記第１鋼材７、７にねじ込むとともに、縦方向に間隔をあけた複数の第２ビス５１、５１を、前記取付部材２０、２０及び外壁材５を貫通して前記第２鋼材９、９にねじ込むことによって、前記取付部材２０、２０を前記外壁材５の表面に止め付けたことを特徴とする。
【０００８】
また、前記一対の取付部材２０、２０は、前記外壁材５の表面に重ね合わせる接合面２５ａ、２５ａを夫々備え、これら接合面２５ａ、２５ａは、一辺の長さが前記シャッターボックス１２の縦方向の長さと同じか僅かに短い略正方形状に形成されている。
【０００９】
さらに、前記シャッターボックス１２の上端部と前記外壁材５との間の隙間に、前記一対の取付部材２０、２０の上端部間に跨るシーリング受け材６０を配置し、このシーリング受け材６０に沿ってシーリング材６３を充填して前記隙間を塞ぐようにしている。
【００１０】
さらにまた、前記一対の取付部材２０、２０に、前記シャッターボックス１２を引っ掛ける爪片４１、４１と、前記シャッターボックス１２を下支えする下支え片４２、４２とを夫々設けている。
【発明の効果】
【００１１】
この発明の後付けシャッターの取付構造においては、既設建物の外壁材の表面に止め付けた取付部材にシャッターボックスを取り付けることで、外壁材を取り替えることなく、既設建物に対してシャッターを後付けで簡単に施工できるようにしながらも、外壁材の表面に対する取付部材の止め付けに際しては、複数の第１、第２ビスを、互いに縦方向及び横方向に間隔をあけながら、取付部材及び外壁材を貫通して第１、第２鋼材に強固にバランス良くねじ込んでいることから、取付部材の止め付け強度を十分に高めて、重量の重いシャッターボックスであっても安定して取り付けることができる。
【００１２】
また、外壁材の表面に対する取付部材の止め付けに際して、取付部材における比較的面積の大きな略正方形状の接合面を、外壁材の表面に重ね合わせることで、例えば外壁材の表面に凹凸模様が形成されていても、取付部材をガタつかせることなく安定して止め付けることができ、シャッターボックスの取付安定性をより一層良好にすることができる。
【００１３】
さらに、横方向に間隔をあけた取付部材に跨ってシャッターボックスを取り付けているにもかかわらず、これら取付部材に跨ってシーリング受け材を配置して、このシーリング受け材に沿って充填したシーリング材によってシャッターボックスの上端部と外壁材との間の隙間を塞ぐようにすることで、取付部材の材料費を必要最小限に抑えながら、雨仕舞を良好に維持することができる。
【００１４】
さらにまた、シャッターボックスの取り付けに際して、シャッターボックスを取付部材の爪片に引っ掛けながら、取付部材の下支え片によって下支えすることで、シャッターボックスの取り付けを簡単にして、施工性の向上を図ることができる。
【発明を実施するための最良の形態】
【００１５】
以下、この発明の実施形態を図面に基づいて詳細に説明する。図１は、鉄骨軸組構造の既設住宅に対する後付けシャッターの取付構造を示している。１は、既設住宅に設けられた窓であって、方形枠状の窓枠２内に、一対の障子３、３を引き違い可能に嵌め込むことによって構成されている。４は、窓１を保持する開口部用軸組、５は外壁材、６は内壁材であって、開口部用軸組４の表面側に外壁材５が支持され、開口部用軸組４の裏面側に内壁材６が支持されている。
【００１６】
開口部用軸組４は、複数の溝形鋼からなる第１鋼材７・・を方形枠状に組み付けることによって構成されている。また、外壁材５は、コンクリート基材８の裏面側に、一対の溝形鋼からなる第２鋼材９、９を縦方向に沿って埋設することによって構成されている。なお、第２鋼材９、９は、外壁材５を開口部用軸組４へ図示しないファスナーを介して取り付けるためのものである。そして、開口部用軸組４における縦方向の第１鋼材７、７と、外壁材５に埋め込まれた縦方向の第２鋼材９、９とが横方向に位置ずれした状態で互いに略平行に配されている（図６参照）。
【００１７】
１０は、既設住宅に対して後付けした後付けシャッターである。このシャッター１０は、図１及び図２に示すように、シャッターカーテン１１を巻き取り収納するシャッターボックス１２と、このシャッターボックス１２から垂れ下がったシャッターカーテン１１を縦方向にガイドする左右一対のガイドレール１３、１３と、これらガイドレール１３、１３の下端部間に跨るようにして配されたシャッター水切材１４とを備えている。
【００１８】
そして、上記シャッター１０のシャッターボックス１２は、窓１の上側に位置する外壁材５の表面に左右一対の取付部材２０、２０を介して取り付けられている（図３参照）。また、上記シャッター１０のガイドレール１３、１３は、窓枠２の縦枠材１５、１５に取付枠１９、１９を介してそれぞれ取り付けられ（図２参照）、上記シャッター１０のシャッター水切材１４は、窓枠２の下枠材１６に取り付けられている（図２参照）。
【００１９】
ここで、取付部材２０の構造について説明する。この取付部材２０は、図４及び図５に示すように、外壁材５の表面にビス止めされる例えば金属製の基材２１と、この基材２１にビス止めされる例えば金属製の係止材２２とを備えている。
【００２０】
基材２１は、接合部２３と取付部２４とを備えている。接合部２３は、垂直プレート片２５と、この垂直プレート片２５の上下端部から前方へ向かって延出した上下一対の水平延出片２６、２６とからなる。そして、接合部２３の垂直プレート片２５の裏面が、外壁材５の表面に重ね合わせる接合面２５ａとなっている。この接合面２５ａは、図１及び図４に示すように、一辺の長さがシャッターボックス１２の縦方向の長さと同じか僅かに短い略正方形状に形成されている。具体的には、接合面２５ａの一辺の長さは、２００ｍｍ程度に設定されている。
【００２１】
取付部２４は、平面視略コ字状の溝形片２７と、この溝形片２７におけるフランジの先端部から側方へ向かって延出した左右一対の垂直延出片２８、２８とからなる。
【００２２】
そして、接合部２３における垂直プレート片２５の側端部表面に沿って、取付部２４における溝形片２７のウエブを重ね合わせた状態で、これらを互いに溶接することによって、接合部２３と取付部２４とが一体化されている。
【００２３】
この基材２１において、互いに重ね合わされた接合部２３の垂直プレート片２５の側端部及び取付部２４の溝形片２７のウエブには、縦方向に間隔をあけた３箇所に第１ビス挿通孔３０・・が貫通形成され、接合部２３の垂直プレート片２５の中央部には、縦方向に間隔をあけた２箇所に第２ビス挿通孔３１、３１が貫通形成され、さらに取付部２４の一方の垂直延出片２８には、縦方向に間隔をあけた３箇所にビス孔３２・・が貫通形成されている。
【００２４】
係止材２２は、接合部２３の垂直プレート片２５よりも幅狭の垂直プレート片４０と、この垂直プレート片４０の上端部から上方へ向かって延出した爪片４１と、垂直プレート片４０の下端部から前方へ向かって延出した下支え片４２とからなる。
【００２５】
この係止材２２において、垂直プレート片４０の側端部には、縦方向に間隔をあけた３箇所に基材２１のビス孔３２・・に対応したビス孔４３・・が貫通形成され、下支え片４２には、横方向に延びるビス挿通用の長孔４４が貫通形成されている。
【００２６】
そして、上記構成の取付部材２０は、以下のようにして窓１の上側に位置する外壁材５の表面に止め付けられている。すなわち、図５及び図６に示すように、基材２１を窓枠２の上枠材１７の上面に載せながら、その接合面２５ａを外壁材５の表面に重ね合わせて、この状態で、第１ビス挿通孔３０・・へ挿通した縦方向に間隔をあけた３本の第１ビス５０・・を、外壁材５のコンクリート基材８を貫通して開口部用軸組４における縦方向の第１鋼材７のフランジにねじ込むとともに、第２ビス挿通孔３１、３１へ挿通した縦方向に間隔をあけた２本の第２ビス５１、５１を、外壁材５のコンクリート基材８を貫通して縦方向の第２鋼材９のウエブにねじ込むことで、基材２１を外壁材５の表面にビス止めする。
【００２７】
続いて、係止材２２を基材２１の垂直延出片２８、２８間に跨るようにあてがいながら、そのビス孔４３・・を基材２１のビス孔３２・・に一致させて、この状態で、これらビス孔３２、４３・・へ縦方向に間隔をあけた３本の第３ビス５２・・をねじ込むことで、係止材２２を基材２１にビス止めしている。
【００２８】
この取付部材２０の止め付け状態においては、縦方向及び横方向に適宜間隔をあけた合計５本の第１及び第２ビス５０、５１・・が、取付部材２０及びコンクリート基材８を貫通した状態で、第１鋼材７及び第２鋼材９に対して強固にバランス良くねじ込まれているので、外壁材５の表面に対する取付部材２０の止め付け強度が十分に高められている。
【００２９】
しかも、取付部材２０の略正方形状の接合面２５ａが、外壁材５の表面に対して広範囲に重ね合わせられるので、例えば外壁材５の表面に凹凸模様が形成されていても、取付部材２０をガタつかせることなく安定して止め付けることができる。このように、取付部材２０を強固に安定して止め付けることで、重量の重いシャッターボックス１２であっても安定した取り付けを可能としている。
【００３０】
なお、図４乃至図６においては、左右一対の取付部材２０、２０のうち、正面から見て右側の取付部材２０を図示しているが、左側の取付部材２０は、図３に示すように、右側の取付部材２０に対して左右対称となっているだけで、右側の取付部材２０と同様の構造であって、右側の取付部材２０と同様にして外壁材５の表面に止め付けられる。
【００３１】
このようにして、窓１の上側に位置する外壁材５の表面に、横方向に間隔をあけて止め付けられた取付部材２０、２０には、図３に示すように、その上端部間に跨ってシーリング受け材６０が取り付けられている。このシーリング受け材６０は、図５に示すように、垂直取付片６１と、この垂直取付片６１の上端部から前方へ向かって延出した水平受け片６２とからなる。そして、取付部材２０、２０の接合面２５ａ、２５ａと外壁材５の表面との間に垂直取付片６１を差し入れながら、取付部材２０、２０の上側の水平延出片２６、２６に跨って水平受け片６２を載せることで、シーリング受け材６０が取り付けられている。
【００３２】
そして、このようにシーリング受け材６０を取り付けた取付部材２０、２０に跨って、シャッターボックス１２が取り付けられている。このシャッターボックス１２の取り付けに際しては、図１に示すように、取付部材２０、２０の爪片４１、４１にシャッターボックス１２の背面側の上端部を引っ掛けながら、取付部材２０、２０の下支え片４２、４２によってシャッターボックス１２の下端部を下支えして、これら下支え片４２、４２の長孔４４、４４に挿通させたビス５３、５３を、シャッターボックス１２の下端部にねじ込むようにしている。
【００３３】
このシャッターボックス１２の取付状態において、シャッターボックス１２の上端部と外壁材５の表面との間の隙間には、シーリング受け材６０の水平受け片６２が配されていて、この水平受け片６２の上面に沿ってシーリング材６３を充填することで、シャッターボックス１２の上端部と外壁材５の表面との間の隙間塞いで雨仕舞を良好にしている。
【００３４】
この発明は、上記実施形態に限定されるものではなく、この発明の範囲内で上記実施形態に多くの修正及び変更を加え得ることは勿論である。例えば、上記実施形態において、取付部材２０は、基材２１に係止材２２をビス止めすることによって構成されているが、基材２１と係止材２２とを溶接によって一体化した構造であっても良い。また、係止材２２を廃止して、基材２１に爪片４１や下支え片４２を設けた構造としても良い。さらに、取付部材２０の止め付けに使用する第１及び第２ビス５０、５１・・の本数は、縦方向に間隔をあけて２本以上使用していれば、何本であっても良い。
【図面の簡単な説明】
【００３５】
【図１】この発明の一実施形態に係る後付けシャッターの取付構造を示す縦断面図である。
【図２】同じくその斜視図である。
【図３】シャッターボックスの取り付け前の状態を示す斜視図である。
【図４】取付部材の分解斜視図である。
【図５】取付部材の斜視図である。
【図６】取付部材の横断面図である。
【符号の説明】
【００３６】
４・・軸組、５・・外壁材、７・・第１鋼材、９・・第２鋼材、１０・・後付けシャッター、１２・・シャッターボックス、２０・・取付部材、２５ａ・・接合面、４１・・爪片、４２・・下支え片、５０・・第１ビス、５１・・第２ビス、６０・・シーリング受け材、６３・・シーリング材
【図１】
2010101089.tif 000003
【図２】
2010101089.tif 000004
【図３】
2010101089.tif 000005
【図４】
2010101089.tif 000006
【図５】
2010101089.tif 000007
【図６】
2010101089.tif 000008